(57)【要約】【課題】ウェット状態のままの塗布領域を有するウェブが搬送される際、該塗布領域の塗布物が跳び散ることがない乾燥機を提供する。【解決手段】乾燥機の搬送経路は、ウェブ１００を搬送する複数のローラ２６Ｂを含む。ローラ２６Ｂは、非エアーターンバーであって、ウェブ１００の塗布面に塗布された塗布領域３００から外れた幅方向端部の未塗布領域３０１の部位に接触して搬送する回転ローラ２６２を有する。ローラ２６Ｂは、回転ローラ２６２に一体に設けられ、ウェブ１００の幅方向の移動を阻止するガイドプレート２６３を備える。【選択図】図２
2019166669.tif 000002
【特許請求の範囲】
【請求項１】
搬送経路でウェブを搬送しながら該ウェブ上の塗布領域の塗布物を熱風で乾燥させる乾燥機において、
前記搬送経路には、
前記ウェブを搬送する複数のローラを含み、
前記複数のローラの内、少なくとも前記ウェブの塗布面に相対するローラは、非エアーターンバーであって、前記塗布領域から外れた幅方向端部の未塗布領域に接触して搬送する回転ローラと、
該回転ローラに一体に設けられ、前記ウェブの幅方向の移動を阻止するガイドプレートを備えている乾燥機。
【請求項２】
前記ローラは、共通軸の両端に前記回転ローラ及び前記ガイドプレートがそれぞれ設けられている請求項１に記載の乾燥機。
【発明の詳細な説明】
【技術分野】
【０００１】
本発明は、インキ等の塗布システムで使用される乾燥機に関するものである。
【背景技術】
【０００２】
スクリーン印刷機等の印刷部を通るようにウェブを搬送して、その搬送中においてウェブに対して印刷を施すようにしたウェブ搬送装置は、特許文献１で公知である。
特許文献１では、印刷がされたウェブは乾燥機内を通過させることによりウェブ上の印刷インキを乾燥するようにしている。
【０００３】
具体的には、乾燥機の内部は複数のローラ及びエアーターンバーが配置された搬送経路が設けられるとともに高温に維持されており、この搬送経路をウェブが通過することによりウェブ上の印刷インキを乾燥する。
【先行技術文献】
【特許文献】
【０００４】
【特許文献１】特開２０１６−１６００２０号公報
【発明の概要】
【発明が解決しようとする課題】
【０００５】
ところで、乾燥機内の搬送経路において、下側フィルムターンが、エアーターンバー内からエアーを、ウェブのインキの塗布領域に向けて放出することにより、ウェブをエアーターンバーから浮かんだ状態で搬送する経路がある。
【０００６】
ところが、エアーターンバーから放出されたエアーが、塗布領域におけるウェット状態のインキを飛び散らかすことがあり、この場合、印刷品質が落ちる問題があった。
本発明の目的は、上記課題を解決して、ウェット状態のままの塗布領域を有するウェブが搬送される際、該塗布領域の塗布物が跳び散ることがない乾燥機を提供することにある。
【課題を解決するための手段】
【０００７】
上記問題点を解決するために、本発明の乾燥機は、搬送経路でウェブを搬送しながら該ウェブ上の塗布領域の塗布物を熱風で乾燥させる乾燥機において、前記搬送経路には、前記ウェブを搬送する複数のローラを含み、前記複数のローラの内、少なくとも前記ウェブの塗布面に相対するローラは、非エアーターンバーであって、前記塗布領域から外れた幅方向端部の未塗布領域に接触して搬送する回転ローラと、該回転ローラに一体に設けられ、前記ウェブの幅方向の移動を阻止するガイドプレートを備えているものである。
【０００８】
上記の構成により、乾燥機内では、搬送経路を構成するローラである回転ローラが、塗布後のウェブの未塗布領域に接触して搬送するとともに、ウェブの幅方向の移動をガイドプレートで阻止する。この結果、ウェット状態のままの塗布領域の塗布物は、エアーターンバーと異なり、エアーが吹き出すことがないため、飛び散ることがない。
【０００９】
このローラは、共通軸の両端に前記回転ローラ及び前記ガイドプレートがそれぞれ設けられていてもよい。
【発明の効果】
【００１０】
本発明によれば、ウェット状態のままの塗布領域を有するウェブが搬送される際、該塗布領域の塗布物が跳び散ることがない効果を奏する。
【図面の簡単な説明】
【００１１】
【図１】一実施形態の乾燥機を示す概略図。
【図２】乾燥機内のローラの正面図。
【発明を実施するための形態】
【００１２】
（第１実施形態）
以下、本発明の一実施形態の塗布システムに採用される乾燥機を図１及び図２を参照して説明する。
【００１３】
図１に示すように、本実施形態の乾燥機２４はそのハウジングの内部において、フリーローラ２３と、上下に配置された複数のローラ２６Ａと複数のローラ２６Ｂとを備えた搬送経路４０を有している。複数のローラ２６Ａと複数のローラ２６Ｂは、上下にジグザグ状となるように配置されている。このようにジグザグ状となる経路を備えた搬送経路４０は、省スペースとなり、長時間及び長距離にわたってウェブ１００を乾燥機２４内に通過させるようにしている。搬送経路４０上のウェブ１００は、図示しない動力源により回転されるローラにより、乾燥機２４内に搬入されるとともに搬送される。
【００１４】
本明細書において、前記ウェブ１００は、印刷等により塗布物の塗布がされる側の面を塗布面といい、塗布されない側の面を非塗布面という。また、塗布面側において、塗布された領域を塗布領域といい、塗布されていない領域を未塗布領域という。
【００１５】
ローラ２６Ａは、１本の円筒体によって構成されており、塗布物が塗布された後（例えば、塗布物としてのインキで印刷された後）のウェブ１００の非塗布面（図１においては下面）に当接して、ウェブ１００を搬送する。
【００１６】
図２に示すように、ローラ２６Ｂは、図示しない軸受に回転自在に支持された共通軸２６１の両端にそれぞれ固定された回転ローラ２６２と、回転ローラ２６２の幅方向の外側に一体に形成されたフランジ状のガイドプレート２６３とを有する。ここで、ウェブ１００には塗布システムの図示しないと塗布手段により塗布物（例えばインキ）が塗布された塗布領域３００と、ウェブ１００の一対の幅方向端部の未塗布領域３０１が形成される。
【００１７】
各回転ローラ２６２は、ウェブ１００の未塗布領域３０１よりも幅狭な厚みを有する周面を有しており、該周面で、ウェブ１００の未塗布領域３０１を有する部位に当接することによりウェブ１００を搬送する。また、ガイドプレート２６３は、ウェブ１００の幅方向への移動を阻止してウェブ１００をガイドする。
【００１８】
乾燥機２４内は図示しない熱源によって高温に維持され、搬送経路４０を搬送されるウェブ１００にブロワー等により熱風が当たるようにされていることにより、ウェブ１００上の塗布物が乾燥される。
【００１９】
（実施形態の作用）
次に、以上のように構成された乾燥機２４の作用を説明する。
乾燥機２４の搬送経路４０、すなわち、複数のローラ２６Ａ、２６Ｂにより、ウェブ１００が搬送される。ここで、ローラ２６Ｂの回転ローラ２６２は、ウェブ１００の塗布領域において未塗布領域３０１を有する部位に当接することによりウェブ１００を搬送する。また、ガイドプレート２６３は、ウェブ１００の幅方向への移動を阻止してウェブ１００をガイドする。このため、塗布領域３００が、回転ローラ２６２に接触することがない。そして、乾燥機２４内において塗布物が乾燥されたウェブ１００は、乾燥機２４から次工程に送られる。
【００２０】
本実施形態においては、以下の効果がある。
（１）本実施形態の乾燥機２４の搬送経路４０では、ウェブ１００を搬送する複数のローラ２６Ａ、２６Ｂを含む。そして、前記ウェブ１００の塗布面に相対するローラ２６Ｂは、非エアーターンバーであって、ウェブ１００の塗布領域３００から外れた幅方向端部の未塗布領域３０１の部位に接触して搬送する回転ローラ２６２を有する。また、ローラ２６Ｂは、回転ローラ２６２に一体に設けられ、ウェブ１００の幅方向の移動を阻止するガイドプレート２６３を備えている。上記構成により、回転ローラ２６２は、ウェブ１００の未塗布領域３０１を有する部位に当接することによりウェブ１００を搬送する。また、ガイドプレート２６３は、ウェブ１００の幅方向への移動を阻止してウェブ１００をガイドする。これにより、ウェブ上の未だ乾いていないウェット状態の塗布物は、エアーターンバーと異なり、エアーが吹き出すことがないため、ウェブ上の塗布物を乾燥する際、該ウェブ上の塗布物が跳び散ることがなく、乾燥することができる。
【００２１】
（２）本実施形態のローラ２６Ｂは、共通軸２６１の両端に回転ローラ２６２及びガイドプレート２６３の組がそれぞれ設けられている。この結果、ローラ２６Ｂは、共通軸２６１の両端に回転ローラ２６２及びガイドプレート２６３の組を２組備えるため、搬送経路４０の形成、すなわち、搬送経路４０を構築する場合、前記２組を同時に所定の取付場所に取付ることができる。
【００２２】
なお、共通軸２６１を省略して、回転ローラ２６２及びガイドプレート２６３の１組ずつを、搬送経路４０を構築するための所定場所に組付ける場合には、組付け効率は倍となり、本実施形態よりも効率は悪くなる。
【００２３】
なお、本発明の実施形態は前記実施形態に限定されるものではなく、下記のように変更しても良い。
・ローラ２６Ｂの共通軸２６１を省略し、回転ローラ２６２及びガイドプレート２６３の１組をローラ２６Ｂにしてもよい。この場合、前記実施形態とは異なり、搬送経路４０を構成するための組付け効率は悪くなるが、これでもよい。
【００２４】
・前記実施形態において、ローラ２６Ａの構成もローラ２６Ｂと同様の構成に変更してもよい。また、乾燥機内に配置される全ローラをローラ２６Ｂで構成してもよい。
・前記実施形態では、印刷されたウェブ１００の乾燥のため乾燥機に具体化したが、塗布は印刷に限定するものではなく、印刷以外の塗布がされたウェブを乾燥する乾燥機に具体化してもよい。
【符号の説明】
【００２５】
２３…フリーローラ、２４…乾燥機、
２６Ａ…ローラ、２６Ｂ…ローラ、４０…搬送経路、
１００…ウェブ、２６１…共通軸、２６２…回転ローラ、２６３…ガイドプレート、
３００…塗布領域、３０１…未塗布領域。
【図１】
2019166669.tif 000003
【図２】
2019166669.tif 000004